(57)【要約】      （修正有）【課題】カバーシャーシの変形によるクランパ部材の傾きが摺動不良が発生するのを抑制し、挟持不良や擦過音の発生を低減することができる光ディスク装置を提供する。【解決手段】メインシャーシ１、カバーシャーシ２、トラバースシャーシ３、光ディスク搬送機構、光ディスク検出機構、駆動力伝達機構、光ディスク駆動機構７を備え、光ディスク搬送機構のフラップ４２を付勢するねじりばねより、カバーシャーシ２に作用する弾性力が、カバーシャーシ２の本体部の面方向に向くように、カバーシャーシ２の貫通孔２４のフロント側端部の縁部より上方に立設されたストッパ部２５を備えている。【選択図】図５
2008243280.tif 000002
【特許請求の範囲】
【請求項１】
正面側に光ディスクを挿入するための開口部を備えたメインシャーシと、
前記メインシャーシの上部を覆うように取り付けられたカバーシャーシと、
前記メインシャーシの内部に前記開口部に近接して配置され、光ディスクを挿入／排出させる光ディスク搬送機構とを有し、
前記光ディスク搬送機構は前記メインシャーシに取り付けられ、前記光ディスクと接触しつつ回転することで前記光ディスクを送る搬送ローラと、前記カバーシャーシに取り付けられ前記開口より挿入された前記光ディスクを、前記搬送ローラ側に導くフラップとを有しており、
前記カバーシャーシは少なくとも正面側の両端部が前記メインシャーシに固定されており、平面状の本体部と、前記本体部の下面より一体突設された支持部と、係合部とを有しており、
前記フラップは、本体部と、前記本体部と一体的に且つ同一軸線上に形成され、前記カバーシャーシの支持部に回動可能に挿入された回転軸と、前記回転軸に巻きまわされたねじりばねとを有し、前記光ディスクの挿入方向と直交する軸周りに回動可能となるように前記カバーシャーシに取り付けられており、
前記ねじりばねは前記回転軸に巻きまわされた巻部と、前記巻部の一方の端部より前記巻部の接線方向に伸び、前記フラップの前記本体部の上面の前記支持軸よりも背面側を押すように形成された付勢部と、前記巻部の前記付勢部と反対側の端部より前記巻部の接線方向に伸び、前記係合部を押すように形成された押え部とを有しており、
前記開口部より挿入された前記光ディスクの記録／再生を行う光ディスク装置であって、
前記係合部は前記カバーシャーシの前面側端部に近接して形成されており、前記ねじりばねの前記押え部から受ける力の付勢方向が前記カバーシャーシの前記本体部の面に沿う方向となるように形成されていることを特徴とする光ディスク装置。
【請求項２】
前記カバーシャーシには正面側から背面側に伸びる平面視矩形状の貫通孔が形成されており、前記係合部は前記貫通孔の正面側の内壁面であることを特徴とする請求項１に記載の光ディスク装置。
【請求項３】
前記カバーシャーシには正面側から背面側に伸びる平面視矩形状の貫通孔が形成されており、前記係合部は前記貫通孔の正面側に近接し前記カバーシャーシの前記本体部より上方に立設されたリブであることを特徴とする請求項２に記載の光ディスク装置。
【請求項４】
前記メインシャーシに前記光ディスクの挿入／排出方向と直交する方向に摺動可能に取り付けられたカムスライダを有しており、
前記フラップの前記本体部は、下面端部より突設されたフラップアームを有しており、
前記フラップアームは前記カムスライダが摺動するとき当接され、押されることで、前記フラップの背面側を上昇させるように形成されていることを特徴とする請求項１から３のいずれかに記載の光ディスク装置。
【発明の詳細な説明】
【技術分野】
【０００１】
本発明は、記録媒体である光ディスクをむき出しのまま挿入排出することができるスロットインタイプの光ディスク装置に関するものである。
【背景技術】
【０００２】
従来、光ディスク装置の一種類として、該光ディスク装置の前面に光ディスクを挿入するための開口が設けられており、この開口を通じて前記光ディスクを挿入したり、排出したりできる、いわゆる、スロットインタイプの光ディスク装置が知られている。
【０００３】
前記スロットインタイプの光ディスク装置は、上述のように、前面パネルに開口が設けられており、開口に光ディスクを挿入する。光ディスクは開口より所定量挿入されると、筐体内部に配置される光ディスク搬送機構にて引き込まれ、前記光ディスク装置内部に儲けられ、前記光ディスクの記録／再生を行うローディング位置まで搬送される。
【０００４】
前記光ディスクが前記ローディング位置まで搬送されると、下方（光ディスクの記録面側）より、トラバースシャーシが上昇してくる。前記トラバースシャーシには駆動モータおよび前記駆動モータの出力軸に固定されたターンテーブルが取り付けられており、前記ターンテーブルが前記光ディスクの中央に形成されている貫通孔を貫通し、光ディスクを持ち上げる。
【０００５】
前記ターンテーブルによって持ち上げられた前記光ディスクは上方（レーベル面側）に回転自在に配置されている、クランパ部材と前記ターンテーブルとによって挟持される。この状態で前記駆動モータが回転することで前記光ディスクは回転する。前記回転状態の光ディスクに光ピックアップよりレーザ光を照射し、データの記録或いは再生を行う。
【０００６】
前記光ディスクユニットには、前記光ディスクをローディング位置まで搬送するディスク搬送機構が備えられている。前記ディスク搬送機構は前記開口に近接して配置されるものであり、光ディスクと接触し回転することで光ディスクを送る搬送ローラと、前記搬送ローラに対向して配置され、前記開口より挿入された光ディスクを前記搬送ローラと接触するように導くフラップとを備えている。
【０００７】
前記フラップは前記光ディスクユニットの筐体であるメインシャーシの上方を覆うカバーシャーシに取り付けられるものであり、前記開口に沿う長辺を有する矩形状の部材である。前記フラップは回転軸を備え、前記カバーシャーシに軸支持されており、前記回転軸を中心に回動可能に配置されている。前記ねじりばねは前記回転軸に巻き回されて配置されるものであり、一方の端部が前記フラップの上面と当接し、他方の端部が前記カバーシャーシの下面と当接している。このねじりばねによって、前記フラップは奥側が下方に回動するように付勢されている。
【０００８】
このように前記フラップの奥側が下方に付勢されていることで、前記光ディスクが前記開口より挿入されたとき、前記光ディスクの先端が前記搬送ローラに確実に導かれ、前記光ディスクは前記搬送ローラによって、内部に引き込まれる。
【０００９】
また、前記光ディスクが前記ターンテーブルと前記クランパ部材とで挟持されるときに、前記フラップは前記はねじりばねの付勢力に反して、奥側が上方に回動するように移動される。これにより、前記光ディスクがローディング位置まで搬送され、前記トラバースシャーシが上昇して、光ディスクを前記ターンテーブルと前記クランパとで挟持するときに、前記フラップの奥側と光ディスクとが当接して挟持の邪魔になるのを抑制することができる。また、前記フラップが回動することで、前記フラップの正面側が前記開口を閉鎖するので、光ディスクが挿入されている状態のときに誤って光ディスクが挿入されるのを抑制したり、異物が挿入するのを抑制したりする。このようなねじりばねを用いて部材を付勢させるものは、例えば、特開２００２−３１３００６号公報に記載されている。
【特許文献１】特開２００２−３１３００６号公報
【発明の開示】
【発明が解決しようとする課題】
【００１０】
前記光ディスクユニットでは、前記ねじりばねの他方の端部が前記カバーシャーシの下面中央部よりの部分と当接しており、前記フラップが回動するときに前記カバーシャーシを上方に付勢する。光ディスク装置では、前記光ディスクユニットに電力を供給する電源装置、各種駆動部を駆動するための駆動モータ等、熱源となる部材配置されており、これらの部材によって前記光ディスクユニットも加熱される。前記光ディスクユニットの前記カバーシャーシは樹脂の成形にて形成された部材であり、加熱されることで軟化する。
【００１１】
前記カバーシャーシが軟化した状態で前記ねじりばねにより中央部よりの部分が荷重が付勢されると、断面係数の小さな中央部よりの部分は変形（たわむ）する。前記カバーシャーシが変形すると前記クランパ部材を回転自在に保持しているクランパホルダも変形してしまい、前記クランパ部材と前記クランパホルダとが偏って当たることで、擦過音が発生したり、前記クランパ部材が傾いて光ディスクを正確に挟持できなくなってしまうことがある。
【００１２】
そこで本発明は、カバーシャーシの変形によるクランパ部材のがたつきを抑制し、挟持不良や擦過音の発生を低減することができる光ディスク装置を提供することを目的とする。
【課題を解決するための手段】
【００１３】
上記目的を達成するために本発明は、正面側に光ディスクを挿入するための開口部を備えたメインシャーシと、前記メインシャーシの上部を覆うように取り付けられたカバーシャーシと、前記メインシャーシの内部に前記開口部に近接して配置され、光ディスクを挿入／排出させる光ディスク搬送機構とを有し、前記光ディスク搬送機構は前記メインシャーシに取り付けられ、前記光ディスクと接触しつつ回転することで前記光ディスクを送る搬送ローラと、前記カバーシャーシに取り付けられ前記開口より挿入された前記光ディスクを、前記搬送ローラ側に導くフラップとを有しており、前記カバーシャーシは少なくとも正面側の両端部が前記メインシャーシに固定されており、平面状の本体部と、前記本体部の下面より一体突設された支持部と、係合部とを有しており、前記フラップは、本体部と、前記本体部と一体的に且つ同一軸線上に形成され、前記カバーシャーシの支持部に回動可能に挿入された回転軸と、前記回転軸に巻きまわされたねじりばねとを有し、前記光ディスクの挿入方向と直交する軸周りに回動可能となるように前記カバーシャーシに取り付けられており、前記ねじりばねは前記回転軸に巻きまわされた巻部と、前記巻部の一方の端部より前記巻部の接線方向に伸び、前記フラップの前記本体部の上面の前記支持軸よりも背面側を押すように形成された付勢部と、前記巻部の前記付勢部と反対側の端部より前記巻部の接線方向に伸び、前記係合部を押すように形成された押え部とを有しており、前記開口部より挿入された前記光ディスクの記録／再生を行う光ディスク装置であって、  前記係合部は前記カバーシャーシの前面側端部に近接して形成されており、前記ねじりばねの前記押え部から受ける力の付勢方向が前記カバーシャーシの前記本体部の面に沿う方向となるように形成されていることを特徴とする。
【００１４】
この構成によると、前記ねじりばねの前記押え部が前記カバーシャーシの強度の高い部分に形成されており、さらに変形しにくい前記本体部に沿う方向に力が付勢されるので、前記カバーシャーシが変形しにくい。
【００１５】
これによって、前記クランパ部材のがたつきを抑制することができ、前記クランパ部材のがたつきによって発生する、光ディスクの挟着不良や擦過音の発生等の不具合が発生するのを抑制することができる。
【００１６】
上記構成において、前記カバーシャーシに正面側から背面側に伸びる平面視矩形状の貫通孔が形成されており、前記係合部が前記貫通孔の正面側の内壁面であるものであってもよい。
【００１７】
上記構成において、前記カバーシャーシに正面側から背面側に伸びる平面視矩形状の貫通孔が形成されており、前記係合部が前記貫通孔の正面側に近接し前記カバーシャーシの前記本体部より上方に立設されたリブであるものでもよい。
【００１８】
上記構成において、前記メインシャーシに前記光ディスクの挿入／排出方向と直交する方向に摺動可能に取り付けられたカムスライダを有し、前記フラップの前記本体部は、下面端部より突設されたフラップアームを有しており、前記フラップアームは前記カムスライダが摺動するとき当接され、押されることで、前記フラップの背面側を上昇させるように形成されているものであってもよい。
【発明の効果】
【００１９】
本発明によると、カバーシャーシの変形によるクランパ部材の傾きや摺動不良が発生するのを抑制し、挟持不良や擦過音の発生を低減することができる光ディスク装置を提供することができる。
【発明を実施するための最良の形態】
【００２０】
以下に本発明の実施形態を図面を参照して説明する。図１はスロットインタイプの光ディスク装置の斜視図である。図１に示す光ディスク装置は、筐体Ｂｄと、筐体Ｂｄの前面に取り付け固定される前面パネルＦｐと、筐体Ｂｄ内部に取り付けられる光ディスクユニットＡとを有している。前面パネルＦｐには挿入口Ｏｐが設けられており、挿入口Ｏｐより光ディスクＤｓが挿入される。
【００２１】
図２は本発明にかかるスロットインタイプの光ディスク装置に備えられる光ディスクユニットの概略配置図であり、図３は図２に示す光ディスクユニットにカバーシャーシを取り付けた状態の平面図であり、図４は図２に示す光ディスクユニットの配置を示す正面図であり、図５は図２に示す光ディスクユニットのディスク搬送機構が取り付けられている部分を拡大した側断面図である。なお、図４に示す光ディスクユニットでは便宜上メインシャーシの図示は省略している。
【００２２】
また、以下で方向を示すとき、フロントパネルＦｐが設けられている方向をフロント側（図中Ｆ）、これに対向する方向をリヤ側（図中Ｒ）、フロント側とリヤ側とをつなぐ線に交差し光ディスクのディスク面に平行な方向をサイド側（図中Ｓ）と表現（図示）する。
【００２３】
図２及び図３に示す光ディスクユニットＡは、少なくとも、メインシャーシ１、カバーシャーシ２、トラバースシャーシ３、光ディスク搬送機構４、光ディスク検出機構５、駆動力伝達機構６、光ディスク駆動機構７を備えている。
【００２４】
メインシャーシ１は矩形状の底面を有し、上面が開放された箱型の部材であり、光ディスクが挿入される開口１０が形成されており、開口１０は挿入口Ｏｐと対向するように配置されている（図５参照）。また、メインシャーシ１の内部には、サイド方向に摺動可能に配置されたカムスライダ８が備えられている。図２、図３、図４に示すように、カムスライダ８はサイド方向にのびる矩形状の部材であり、カム孔８１と、プッシュ溝８２と、スライダラック８３と、押上げ部８４と、トリガーガイド８５とを備えている。図４に示すようにカム孔８１は上部に形成され水平にのびる上側孔８１１と、上側カム孔８１１の斜め下方に上側カム孔８１１と平行に形成された下側カム孔８１２と、上側カム孔８１１と下側カム孔８１２とを接続する傾斜して形成された斜行カム孔８１３とを有している。
【００２５】
図２に示すようにプッシュ溝８２は、上方に開放された溝状の孔であり、カムスライダ８の摺動方向に伸びる第１プッシュ溝８２１と、第１プッシュ溝８２１の平面視右側よりリヤ側に右方向に斜めに伸びる第２プッシュ溝８２２とを有している。第２プッシュ溝８２２はカムスライダ８のリヤ側に開口するように形成されている。
【００２６】
スライダラック８３は、カムスライダ８の平面視右側に一体突設された突部の側面に形成されたラックギアである。押上げ部８４はスライダラック８３と同様、カムスライダ８の右側に一体突設された突部であり、先端が斜めに傾斜して形成されている。
【００２７】
トリガーガイド８５は下方に開放された形状を有している。トリガーガイド８５はカムスライダ８の摺動方向に伸びる直線部８５１と、直線部８５１の平面視左側と連続して形成され、左斜めリヤ側に伸びる斜行部８５２とを有している。斜行部８５２の直線部８５１と反対側の端部は、カムスライダ８の端部より開口するように形成されている。
【００２８】
図３に示すように、カバーシャーシ２は樹脂の一体成型で形成されているものであり、メインシャーシ１の上部に配置され、四隅がビスＢｓ止めにてメインシャーシ１に固定されている。図２に示すようにカバーシャーシ２には、光ディスクを挟持するためのクランパ部材２１と、クランパ部材２１を保持するためのクランプホルダ２０と、クランパ部材２１を上部より押える押え部材２２とが取り付けられている。
【００２９】
クランパ部材２１は先端部がカバーシャーシ２より突出するとともに、回転自在にクランパホルダ２０に取り付けられている。押え部材２２は金属製の長尺部材であり、一方の端部がカバーシャーシ２に係合されているとともに、他方の端部が図示を省略した弾性部材（ここではばね）が取り付けられている。押え部材２２は弾性部材の弾性力でクランパ部材２１を下方に押圧している。
【００３０】
トラバースシャーシ３には、光ディスクにレーザ光を照射し、データを記録または再生する光ピックアップ３１と、駆動モータ３２と、光ディスク駆動機構７とが配置されている。
【００３１】
トラバースシャーシ３にはサイド側の両側面のリヤ側に近い部分に、一対の回転ボス３０が形成されている。一対の回転ボス３０は中心軸が重なるように形成されており、回動ボス３０がメインシャーシ１と係合することで、トラバースシャーシ３はメインシャーシ１に対し、回動可能に取り付けられる。また、トラバースシャーシ３のフロント側の側面にはカムスライダ８のカム孔８１と係合するスライダボス３３が形成されている。
【００３２】
光ピックアップ３１は、レーザ光を出射する光源、コリメータレンズ、対物レンズ、ビームスプリッタ等の光学部材、反射光を受光し電気信号に変換する受光素子等を備えている。光ピックアップ３１は、トラバースシャーシ３のフロント側とリヤ側とを直線的に往復移動するものであり、側面にラック３１１を備えている。駆動モータ３２の出力軸にはウォームギア３２１が取り付けられている。
【００３３】
ラック３１１は下部メインラック（図示省略）が、メインラックの上部にサブラックが配設されたダブルラック構造を有している。ラック３１１には図示を省略したばねが配置されており、メインラックのギア歯とサブラックのギア歯がずれるようにサブラックを付勢している。
【００３４】
また、ラック３１１にはラックボス３１２が形成されており、光ピックアップ３１が最もフロント側に移動されたときに、トリガーガイド８５と係合し、カムスライダ８を動作させる。
【００３５】
トラバースシャーシ３は回転ボス３０を軸に回動することで、トラバースシャーシ３に配置されている光ピックアップ３１および光ディスク駆動機構７が光ディスクに対して上昇或いは下降する。これにより、トラバースシャーシ３に配置された光ピックアップ３１又は光ディスク駆動機構７が光ディスクの挿入／排出に邪魔にならないように隠れた待機位置と、光ディスクを回転させるときに、光ディスクが他の部材と干渉しないように持ち上げ、挟着（クランプ）するクランプ位置とを往復動する。
【００３６】
トラバースシャーシ３がクランプ位置に移動すると、光ディスク駆動機構７が光ディスクを持ち上げ、光ディスクは光ディスク駆動機構７とクランパ部材２１とで挟持される。また、光ディスクがクランプされた状態でトラバースシャーシ３が下降すると、光ディスクは光ディスク駆動機構７の上に載置された状態でクランパ部材２１より遠ざかる。これにより光ディスクは挟持されていない状態（アンクランプ状態）になる。トラバースシャーシ３がさらに下降することで、光ディスクが挿入又は排出されるときに、光ピックアップ３１、駆動モータ３２、光ディスク駆動機構７と光ディスクが接触しない待機位置に移動する。
【００３７】
光ディスク搬送機構４は、開口１０の近傍に配置されるものであり、メインシャーシ１に取り付けられた搬送ローラ４１と、カバーシャーシ２に取り付けられたフラップ４２と、メインシャーシ１の底面に回転自在に軸支され、駆動力を伝達するための中間歯車４３と、メインシャーシ１の側壁の内部に回転自在に軸支された搬送用歯車４４とを有している。搬送ローラ４１は、回転軸４１１と、回転軸４１１の回りに配置され、光ディスクと密着して回転することで光ディスクを送るためのローラ４１２と、回転軸４１１の端部に固定されるローラ歯車４１３とを有している。
【００３８】
中間歯車４３はカムスライダ８の位置によってスライダラック８３と歯合するものであり、上部に連結された第１かさ歯車４３１と、下部に連結された第１伝達用歯車４３２とを有している。伝達用歯車４３２は駆動力伝達機構６と接続している。搬送用歯車４４は一方の端部に形成された第２かさ歯車４４１と、第２かさ歯車４４１と反対側の端部に形成された第２伝達用歯車４４２とを有している。第１かさ歯車４３１と第２かさ歯車４４１とが歯合しており、中間歯車４３からの駆動力が搬送用歯車４４に伝達される。伝達用歯車４４２はローラ歯車４１３と歯合しており、伝達用歯車４４２よりローラ歯車４１３に駆動力が伝達され、搬送ローラ４１は回転する。
【００３９】
フラップ４２は長尺矩形状の板材である本体部４２１と、長尺方向に伸びる回転軸４２２と、本体部４２１の下面端部より立設されたフラップアーム４２３とを有している。また、回転軸４２２にはねじりばね４５が配置されている。
【００４０】
図３、４、５に示すように、カバーシャーシ２には下方に立設され回転軸４２２が回動可能に保持された係合部２３と、係合部２３の近傍に形成された貫通孔２４と、貫通孔２４のフロント側に貫通孔２４の縁部より上方に立設されたストッパ部２５が形成されている。このストッパ部２５はカバーシャーシ２のフロント側の端部に近接して形成されている。
【００４１】
ねじりばね４５は、回転軸４２２に巻きまわされた巻線部４５０と、巻線部４５０の一方の端部より巻線部４５０の接線方向に伸び、途中で屈伸している第１押圧端部４５１と、他方の端部より巻線部４５０の接線方向に伸び、途中で屈伸している第２押圧端部４５２とを備えている。
【００４２】
フラップ４２は、回転軸４２２が係合部２３に回動可能に係合されることでカバーシャーシ２に取り付けられている。このとき、ねじりばね４５の巻線部４５０が回転軸４２２に巻きまわされ、第１押圧端部４５１がフラップ４２の本体部４２１のリヤ側の上面を押圧しており、第２押圧端部４５２が貫通孔２４を貫通するとともに、ストッパ部２５を押圧している。このように、フラップ４２およびねじりばね４５がカバーシャーシ２に取り付けられていることで、フラップ４２は回転軸４２２を中心にして、リヤ側が下方にフロント側が上方に傾くように取り付けられている。
【００４３】
また、図３、４等に示されているように、カバーシャーシ２はフロント側の端部の両サイドをボルトで固定されており、フロント側の端部は十分な強度を有している。また、加熱されることで軟化してしまった場合も、大幅に強度が低下することがないので、フロント側の端部に近接して形成されたストッパ部２５はねじりばね４１から力を受けても変形しにくい。また、カバーシャーシ２のフロント側の端部が固定されていることより、ストッパ部２５がねじりばね４１より受ける力或いはモーメントもカバーシャーシ２のクランパホルダ２０まで伝達されにくく、クランパホルダ２０が変形するのを抑制することが可能である。
【００４４】
光ディスク検出機構５は、光ディスクの挿入部の近傍に配置される一対の検知センサ５１と、光ディスクにて押されるディスクアーム５２と、ディスクアーム５２の動作にあわせてリヤ側／フロント側に摺動し、カムスライダ８を動作させるプッシュロッド５３と、光ディスクが挿入されるときに光ディスクの大きさに合わせて、ディスクアーム５２とプッシュロッド５３とを係合させるディスクレバー５４とを備えている。ディスクアーム５２、プッシュロッド５３及びディスクレバー５４とは互いに連動することで、直径１２センチメートルの光ディスクと、直径８センチメートルの光ディスクが挿入されたときに、光ディスクの直径にあわせて光ディスク記録再生ユニットを適切に動作させるためのものである。
【００４５】
検知センサ５１は挿入口の近くに光ディスクの挿入方向の中心線に対して対称に配置されたものである。対称に配置されることで、光ディスクがずれて挿入されても、光ディスクの挿入を検出することができる。
【００４６】
検知センサ５１は発光素子と受光素子とが一定の間隔をあけて、向かい合わせに配置されるものであり、発光素子より出射された光を受光素子で受光（検知）するものである。すなわち、発光素子と受光素子の間を遮るものがないときは発光素子より出射された光が受光素子で受光され、遮るものがあるときは発光素子より出射された光は受光素子で受光されない。光ディスクが開口１０より所定量挿入されると、光ディスクが発光素子と受光素子の間に配置され、発光素子より出射された光が受光素子へ届くのを妨げる。これにより、検知センサ５１は光ディスクが開口１０より挿入されたことを検出することができる。
【００４７】
ディスクアーム５２はピン５２０にてメインシャーシ１に回動可能に取り付けられている。ディスクアーム５２は光ディスクが挿入されたときに光ディスクのリヤ側が当接し、フロント側／リヤ側に往復移動するディスク押し部５２３と、第１ボス５２１及び第２ボス５２２と、ディスク押し部５２３をフロント側に押すようにディスクアーム５２を付勢する弾性部材（図示省略するがたとえばばねが用いられる）とを有している。第１ボス５２１及び第２ボス５２２とディスク押し部５２３とはピン５２０を挟んで対向する位置に配置されている。すなわち、第１ボス５２１及び第２ボス５２２とディスク押し部５２３とは常にピンを挟んで反対方向に移動する。また、ディスク押し部５２３はリヤ側／フロント側に直線的に往復摺動するものである。
【００４８】
プッシュロッド５３はフロント側−リヤ側に往復摺動可能に取り付けられており、フロント側の端部に設けられカムスライダ８に形成されたプッシュ溝８２と係合するプッシュボス５３１と、円弧状に形成されたスイングガイド５３２とを有している。
【００４９】
ディスクレバー５４はディスクアーム５２の第１ボス５２１及び第２ボス５２２と係合する係合部５４１と、光ディスクの外周に押されるディスク検知ボス５４２と、プッシュロッド５３の後述するスイングガイド５３２と係合するレバーボス５４３と、メインシャーシ１に取り付けられている摺動ピン５４０が貫通する摺動孔５４４とを備えている。また、ディスクレバー５４はメインシャーシ１に取り付けられた弾性部材（図示省略）にてプッシュロッド５３と重なる位置に移動するように付勢されている。
【００５０】
駆動力伝達機構６は駆動モータ３２より出力される動力をトラバースシャーシ３、搬送ローラ４１、光ピックアップ３１等の駆動のために伝達させる歯車群である。駆動力伝達機構６は、第１歯車６１と、第２歯車６２と、第３歯車６３と、駆動歯車６４とを有している。このうち駆動歯車６４はメインシャーシ１に回動可能に軸支されている。また、残りの第１歯車６１、第２歯車６２、第３歯車６３はトラバースシャーシ３に取り付けられている。
【００５１】
第１歯車６１は第１大型歯車６１１と、第１小型歯車６１２と、ピニオンギア６１３とが同一回転軸に軸方向に並んで、回動可能に支持されている。第１大型歯車６１１はウォームギア３２１と歯合しており、駆動モータ３２の駆動軸に発生する駆動力は第１大型歯車６１１に伝達される。ピニオンギア６１３は光ピックアップ３１のラック３１１と歯合しており、光ピックアップ３１をリヤ側／フロント側に摺動させる。第１小型歯車６１２は第２歯車６２と、第２歯車６２は第３歯車６３と、第３歯車６３は駆動歯車６４とそれぞれ歯合している。各歯車は適切な歯数を有する歯車であり、回転方向を調整したり、そのギア比によって、回転速度を高めたり、トルクを高めたりすることが可能である。以上のように各歯車を配置することで、駆動モータ３２の駆動軸より出力された駆動力を駆動歯車６４、光ピックアップ３１のラック３１１に伝達することができる。また、歯車の枚数はこれに限定されるものではなく、歯車に負担がかからず、駆動力を伝達することができるものを広く採用することができる。
【００５２】
光ディスク駆動機構７は、光ディスクを回転させるためのスピンドルモータ（不図示）と、スピンドルモータの出力軸に取り付けられ、光ディスクを支持するターンテーブル７１とを有している。ターンテーブル７１はトラバースシャーシ３の移動（回動）とともに移動（上昇）する。これにより、ターンテーブル７１は光ディスクの中央部に設けられる貫通部を貫通するとともに透明部を押し、クランプ部材２１とで光ディスクを挟着（クランプ）する。
【００５３】
また、光ディスクがクランプされた状態でトラバースシャーシ３が移動（回動）すると、ターンテーブル７１が移動（下降）する。ターンテーブル７１が下降することで、クランプ状態が解消される。また、ターンテーブル７１がさらに移動することで、光ディスクがターンテーブル７１、光ピックアップ３１等とが干渉しない位置に移動する。
【００５４】
次に各部の動作について説明する。図６は図５に示す光ディスクユニットに光ディスクが挿入されている状態の側断面図であり、図７は図５に示す光ディスクユニットの光ディスクが挟着された状態の側断面図である。開口１０より挿入されると、検知センサ５１によって光ディスクが挿入されたことが検知される。検知センサ５１にて光ディスクの挿入が検知されると、駆動モータ３２が駆動する。駆動モータ３２の駆動軸に取り付けられたウォーム３２１より、ウォームギア３２１と歯合された第１大型歯車６１１に駆動力が伝達され第１歯車６１は回転する。さらに駆動力は第１小型歯車６１２と歯合された第２歯車６２と、第３歯車６３とを介して駆動歯車６４に伝達され、駆動歯車６４が回転する。
【００５５】
駆動歯車６４の回転が中間歯車４３及び搬送用歯車４４を介してローラ歯車４１３に伝達され、搬送ローラ４１を回転させる。開口１０の内部の上部側には光ディスク搬送機構４のフラップ４２が、そのリヤ側が下方に垂れるように配置されており、光ディスクのリヤ側端部が確実に搬送ローラ４１のローラ４１２と接触するように光ディスクを導く。
【００５６】
搬送ローラ４１のローラ４１２が光ディスクと接触することで、光ディスクは光ディスク記録再生ユニットＡの内部に引き込まれる。また、この時点では、カムスライダ８が中間歯車４３より最も遠くの位置にあるので、スライダラック８３と中間歯車４３が歯合しておらず、カムスライダ８は静止している。
【００５７】
＜直径８センチメートルの光ディスクＤｓ８の場合＞
挿入された光ディスクＤｓ８が直径８センチメートルのディスクの場合、光ディスクＤｓ８が挿入されるときに光ディスクＤｓ８の外周部がディスクレバー５４のディスク検知ボス５４２と当接せず、そのまま、引き込まれる。光ディスクＤｓ８が所定量引き込まれると、光ディスクＤｓ８はディスクアーム５２のディスク押し部５２３と当接し、そのままディスク押し部５２３をリヤ側へと押す。このとき、ディスクアーム５２がピン５２０にて摺動可能に支持されていると共に、第１ボス５２１とディスクレバー５４の係合部５４１とが係合しているので、ディスクレバー５４はフロント側に押される。
【００５８】
ディスクレバー５４はレバーボス５４３でプッシュロッド５３のスイングガイド５３２と係合しており、ディスクレバー５４がフロント側に移動すると、レバーボス５４３がスイングガイド５３２を押してプッシュロッド５３がフロント側に移動する。プッシュロッド５３のフロント側端部に備えられるプッシュボス５３１が、カムスライダ８のプッシュ溝８２と係合している。
【００５９】
プッシュロッド５３の移動によってプッシュ溝８２の第２プッシュ溝８２２が押され、カムスライダ８がサイド方向に移動される。これによって、カムスライダ８に備えられているスライダラック８３が中間歯車４３と歯合し、中間歯車４３の駆動力がカムスライダ８に伝達される。このとき、プッシュロッド５３のプッシュボス５３１はプッシュ溝８２の斜め側に伸びる第２プッシュ溝８２２に押され、わずかにフロント側に移動する。これにより、プッシュロッド５３と係合しているディスクアーム５２が回動し、ディスク押し部５２３がリヤ側に移動し、光ディスクＤｓ８と接触しない状態になる。さらに、プッシュボス５３１がプッシュ溝８２のサイド方向に延びる第１プッシュ溝８２１と係合することでプッシュロッド５３はリヤ側に移動しないようにロックされる。
【００６０】
カムスライダ８がサイド方向に移動するときに、カムスライダ８に形成された押上げ部８４がフラップ４２のフラップアーム４２３が押されることで、フラップ４２のリヤ側が上方に、フロント側が下方に回動するように移動される。
【００６１】
また、カムスライダ８がサイド方向に移動することで、トラバースシャーシ３のスライダボス３３がカム孔８１の下側カム孔８１１から斜行カム孔８１３を経て上側カム孔８１２へと摺動し、トラバースシャーシ３がクランプ位置にむけて回動（上昇）する。また、光ピックアップ３１のラック３１１に形成されているラックボス３１２がトリガーガイド８５から離れ、光ピックアップ８がリヤ方向に移動する。
【００６２】
トラバースシャーシ３が上昇すると光ディスク駆動機構７のターンテーブル７１が光ディスクを押し上げ、クランパ２１と光ディスクを挟着する。このとき、フラップ４２のリヤ側が上部に移動しているので、フラップ４２と光ディスクが干渉するのを防ぐことができる。
【００６３】
カムスライダ８が最終位置（図２中最も左）まで移動すると、スライダラック８３と中間歯車４３との歯合が解除され、カムスライダ８は停止される。カムスライダ８が停止する。また、このとき、光ピックアップ３１のラック３１１とピニオンギア６１３とが歯合するので、駆動モータ３２の駆動力が光ピックアップ３１に伝達され、光ピックアップ３１が光ディスクＤｓ８の径方向に摺動する。そして、駆動モータ３２を適切に駆動させて光ピックアップ３１を光ディスクＤｓ８の再生又は記録に必要な初期動作を行った後、再生又は記録を行う。
【００６４】
記録又は再生を行った後、光ディスクＤｓ８を排出するときはこれと逆の動作で、光ピックアップ３１を最もフロント側に移動させる。光ピックアップ３１がフロント側に移動することでラックボス３１２がカムスライダ８のトリガーガイド８５と係合するとともに、トリガーガイド８５の斜行部８５２を押し、カムスライダ８をサイド方向（中間歯車４３と離れる方向）に移動させる。カムスライダ８が移動することでスライダラック８３が中間歯車４３と歯合する。
【００６５】
中間歯車４３及び搬送用歯車４４には駆動歯車６４より駆動力が伝達されており、搬送ローラ３２が回動している。このとき光ディスクＤｓ８はターンテーブル７１に支持されてクランプ位置にあるので、ローラ４１２とは接触していない。カムスライダ８のスライダラック８３は中間歯車４３と歯合しており、中間歯車４３の駆動力がスライダラック８３に伝達され、カムスライダ８は光ディスクＤｓ８を挿入したときと逆方向に移動する。
【００６６】
カムスライダ８が移動すると、トラバースシャーシ３のスライダボス３３がカム孔８１に沿って移動し、トラバースシャーシ３がクランプ位置から待機位置に戻る。それと同時に、カムスライダ８が移動することで、プッシュボス５３１が第２プッシュ溝８２２に押され、リヤ側に移動する。また、押上げ部８４が移動するので、カムスライダ８が所定距離移動した後にフラップアーム４２３が開放され、フラップ４２がねじりばね４５の弾性力によって、リヤ側が下方に、フロント側が上方に回動するように移動する。
【００６７】
また、トラバースシャーシ３が待機位置に戻ることで、ターンテーブル７１が光ディスクＤｓ８からはずれ、挿入時と同じ高さに移動する。このとき、光ディスクＤｓ８はローラ４１２と接触し、回転しているローラ４１２によって送られ、開口１０より外部に排出される。以上のようにして、直径８センチメートルの光ディスクは光ディスク装置に挿入或いは排出される。
【００６８】
＜直径１２センチメートルの光ディスクの場合＞
挿入された光ディスクが直径１２センチメートルのディスクの場合、光ディスクＤｓ１２が挿入されるときに光ディスクＤｓ１２の外周部がディスクレバー５４のディスク検知ボス５４２と接触する。ディスク検知ボス５４２が光ディスクＤｓ１２の側周部に押され、ディスクレバー５４は摺動ピン５４０を中心に回動する。このとき、レバーボス５４３はプッシュロッド５３のスイングガイド５３２に沿って摺動し、係合部５４１とディスクアーム５２の第１ボス５２１との係合が外れる。
【００６９】
この状態で、光ディスクＤｓ１２が所定量引き込まれると、光ディスクＤｓ１２のリヤ側周側部がディスクアーム５２のディスク押し部５２３と当接し、そのままディスク押し部５２３がリヤ側へと押される。このとき、ディスクアーム５２の第１ボス５２１とディスクレバー５４の係合部５４１との係合が外れているので、ディスクアーム５２はピン５２０回りに回動するが、ディスクレバー５４はフロント側に摺動せず、プッシュロッド５３をフロント側に押さない。
【００７０】
光ディスクＤｓ１２がさらに引き込まれると、ディスクアーム５２がピン５２０を中心に回動する。このとき、ディスクレバー５４はコイルばね（図示省略）にてもとの位置に戻るように付勢されており、光ディスクＤｓ１２が引き込まれるとともに、光ディスクＤｓ１２の側周部をディスク検知ボス５４２が回り込むように摺動する。このとき、ディスクアーム５２の第２ボス５２２とディスクレバー５４の係合部５４１が係合する。この状態でディスク押し部５２３が押されると、ディスクアーム５２が回動する。ディスクアーム５２とディスクレバー５４とが係合しているので、ディスクレバー５４がフロント側に押される。
【００７１】
ディスクレバー５４はレバーボス５４３でプッシュロッド５３のスイングガイド５３２と係合しており、ディスクレバー５４がフロント側に移動すると、レバーボス５４３がスイングガイド５３２を押してプッシュロッド５３がフロント側に移動する。プッシュロッド５３のフロント側端部に備えられたプッシュボス５３１が、カムスライダ８のプッシュ溝８２と係合する。
【００７２】
プッシュロッド５３の移動によってプッシュ溝８２の第２プッシュ溝８２２が押され、カムスライダ８はサイド方向（中間歯車４３の方向）に移動される。これによって、カムスライダ８に備えられているスライダラック８３が中間歯車４３と歯合し、中間歯車４３の駆動力がカムスライダ８に伝達される。このとき、プッシュロッド５３のプッシュボス５３１はプッシュ溝８２の斜め側に伸びる第２プッシュ溝８２２に押され、わずかにフロント側に移動する。これにより、プッシュロッド５３と係合しているディスクアーム５２が回動し、ディスク押し部５２３がリヤ側に移動し、光ディスクＤｓ１２と接触しない状態になる。さらに、プッシュボス５３１がプッシュ溝８２のサイド方向に延びる第１プッシュ溝８２１と係合することでプッシュロッド５３はリヤ側に移動しないようにロックされる。
【００７３】
カムスライダ８がサイド方向に移動するときに、カムスライダ８に形成された押上げ部８４がフラップ４２のフラップアーム４２３を押し、フラップ４２のリヤ側が上方に、フロント側が下方に回動するように移動される。また、トラバースシャーシ３のスライダボス３３がカム孔８１の下側カム孔８１１から斜行カム孔８１３を経て上側カム孔８１２へと摺動し、トラバースシャーシ３がクランプ位置にむけて回動（上昇）する。
【００７４】
さらに、カムスライダ８が移動すると、トラバースシャーシ３がクランプ位置に移動する。光ディスク駆動機構７のターンテーブル７１は光ディスクＤｓ１２を押し上げ、クランパ２１と光ディスクＤｓ１２を挟着する。このとき、フラップ４２のリヤ側が上部に移動しているので、フラップ４２と光ディスクＤｓ１２が干渉するのを防ぐことができる。また、光ピックアップ３１のラック３１１に形成されているラックボス３１２がトリガーガイド８５から離れ、光ピックアップ８がリヤ方向に移動すると共に、第１歯車６１のピニオンギア６１３とラック５３とが歯合する。
【００７５】
光ピックアップ３１のラック３１１とピニオンギア６１３とが歯合することで、駆動モータ３２の駆動力が光ピックアップ３１に伝達され、光ピックアップ３１が光ディスクＤｓ１２の径方向に摺動される。駆動モータ３２を適切に動作させ、光ディスクＤｓ１２の再生又は記録に必要な初期動作を行った後、光ディスクＤｓ１２の再生又は記録を行う。
【００７６】
記録又は再生を行った光ディスクＤｓ１２を排出するときはこれと逆の動作で、駆動モータ３２を駆動して光ピックアップ３１を最もフロント側に移動させる。光ピックアップ３１が最もフロント側に移動することでラックボス３１２がカムスライダ８のトリガーガイド８５と係合するとともに、トリガーガイド８５の斜行部８５２を押し、カムスライダ８をサイド方向（中間歯車４３と離れる方向）に移動させる。
【００７７】
カムスライダ８が移動されることで、まず、カムスライダ８のスライダラック８３と中間歯車６３とが歯合する。このとき光ディスクＤｓ１２はターンテーブル７１に支持されてクランプ位置にあるので、光ディスクＤｓ１２はローラ４１１とは接触していない。カムスライダ８のスライダラック８３は中間歯車４３と歯合しており、中間歯車４３の駆動力がスライダラック８３に伝達され、カムスライダ８は光ディスクＤｓ１２を挿入したときと逆方向に移動する。
【００７８】
カムスライダ８が移動すると、トラバースシャーシ３のスライダボス３３がカム孔８１に沿って移動し、トラバースシャーシ３がクランプ位置から待機位置に戻る。同時に、カムスライダ８が移動することで、プッシュボス５３１が第２プッシュ溝８２２に押され、リヤ側に移動する。また、押上げ部８４が移動するので、カムスライダ８が所定距離移動した後にフラップアーム４２３が開放され、フラップ４２がねじりばね４５の弾性力によって、リヤ側が下方に、フロント側が上方に回動するように移動する。
【００７９】
また、トラバースシャーシ３が待機位置に戻ることで、ターンテーブル７１が光ディスクＤｓ８からはずれ、挿入時と同じ高さに移動する。このとき、光ディスクＤｓ８はローラ４１２と接触し、回転しているローラ４１２によって送られ、開口１０より外部に排出される。
【００８０】
光ディスクＤｓ１２が排出されるときに、ディスクレバー５４のディスク検知ボス５４２は光ディスクＤｓ１２の側周部に押されて外側にスイングする。これにより、ディスクレバー５４の係合部５４１がディスクアーム５２の第２ボス５２２から離れる。光ディスクＤｓ１２がさらに排出されると、ディスクレバー５４のディスク検知ボス５４２が光ディスクＤｓ１２の周側部に沿って移動する。
【００８１】
ディスクレバー５４は摺動ピン５４０を中心に回動する。このとき、ディスクアーム５２の第１ボス５２１とディスクレバー５４の係合部５４１とが係合し、ディスクアーム５２の回動によってディスクアーム５２はリヤ側に引っ張られる。ディスクレバー５４のレバーボス５４３とプッシュロッド５３のスイングガイド５３２で係合しているプッシュロッド５３も連動して、リヤ側に引っ張られる。以上のようにして、直径８センチメートルの光ディスクは光ディスク装置に挿入或いは排出される。
【００８２】
図８に本発明にかかる光ディスクユニットの他の例の側断面図を示す。図８に示す光ディスクユニットＢは、カバーシャーシ２ｂおよびねじりばね４５ｂが異なる以外は、図２等に示す光ディスクユニットＡと同一の構成を有するものであり、実質上同じ部分には同一の符号が付してある。
【００８３】
図８に示すように、フラップ４２の回転軸４２２にはねじりばね４５ｂが備えられている。ねじりばね４５ｂは回転軸４２２に巻きまわされた巻線部４５０と、巻線部４５０の一方の端部より巻線部４５０の接線方向に伸び、途中で屈伸している第１押圧端部４５１と、他方の端部より巻線部４５０の接線方向に伸び、途中で屈伸している第２押圧端部４５２ｂとを備えている。
【００８４】
第１押圧端部４５１は光ディスクユニットＡと同様にフラップ４２の上面のリヤ側の端部を下方に押圧するように、フラップ４２と当接している。第２押圧端部４５２ｂは、貫通孔２４のフロント側の内側面２５ｂと当接している。
【００８５】
このように、第２押圧端部４５２ｂが貫通孔２４と当接することで、カバーシャーシ２ｂが曲がりやすい方向には、ねじりばね４５ｂの弾性力が付勢せず、モーメントもかかりにくいので、変形しにくい。また、カバーシャーシ２ｂに突起を形成しなくてもよいので、光ディスクユニットＢの厚みも薄く抑えることが可能である。
【００８６】
本実施例では光ディスク装置に用いられる光ディスク記録／再生ユニットは光ディスクを横向きに挿入するものを例に説明しているが、それに限定されるものではなく光ディスクを立てて横向きに挿入するもの、光ディスクを立てて縦向きに挿入する光ディスク装置にも同様に用いることができる。
【産業上の利用可能性】
【００８７】
本発明は、ＤＶＤ、ＣＤ等の光ディスクを記録媒体とする光ディスク装置において適用することができる。
【図面の簡単な説明】
【００８８】
【図１】スロットインタイプの光ディスク装置の斜視図である。
【図２】本発明にかかるスロットインタイプの光ディスク装置に備えられる光ディスクユニットの概略配置図である。
【図３】図２に示す光ディスクユニットにカバーシャーシを取り付けた状態の平面図である。
【図４】図２に示す光ディスクユニットの配置を示す正面図である。
【図５】図２に示す光ディスクユニットのディスク搬送機構が取り付けられている部分を拡大した側断面図である。
【図６】図５に示す光ディスクユニットに光ディスクが挿入されている状態の側である。
【図７】図５に示す光ディスクユニットの光ディスクが挟着された状態の側断面図である。
【図８】本発明にかかる光ディスクユニットの他の例の側断面図を示す。
【符号の説明】
【００８９】
１  メインシャーシ
１０  開口
２  カバーシャーシ
２０  クランプホルダ
２１  クランパ部材
２２  押え部材
２３  係合部
２４  貫通孔
２５  ストッパ部
３  トラバースシャーシ
３１  光ピックアップ
３２  駆動モータ
４  光ディスク搬送機構
４１  搬送ローラ
４１１  回転軸
４１２  ローラ
４１３  ローラ歯車
４２  フラップ
４２１  本体部
４２２  回転軸
４２３  フラップアーム
４３  中間歯車
４３１  第１かさ歯車
４３２  伝達用歯車
４４  搬送用歯車
４４１  第２かさ歯車
４４２  第２伝達用歯車
４５  ねじりばね
４５０  巻線部
４５１  第１押圧端部
４５２  第２押圧端部
５  光ディスク検出機構
５１  検知センサ
５２  ディスクアーム
５２０  ピン
５２１  第１ボス
５２２  第２ボス
５２３  ディスク押し部
５３  プッシュロッド
５３１  プッシュボス
５３２  スイングガイド
５４  ディスクレバー
５４１  係合部
５４２  検知ボス
５４３  レバーボス
６  駆動力伝達機構
６１  第１歯車
６１１  第１大型歯車
６１２  第１小型歯車
６１３  ピニオンギア
６２  第２歯車
６３  第３歯車
６４  駆動歯車
７  光ディスク駆動機構
８  カムスライダ
８１  カム孔
８１１  下側カム孔
８１２  上側カム孔
８１３  斜行カム孔
８２  プッシュ溝
８２１  第１プッシュ溝
８２２  第２プッシュ溝
８３  スライダラック
８４  押上げ部
８５  トリガーガイド
８５１  直線部
８５２  斜行部
【図１】
2008243280.tif 000003
【図２】
2008243280.tif 000004
【図３】
2008243280.tif 000005
【図４】
2008243280.tif 000006
【図５】
2008243280.tif 000007
【図６】
2008243280.tif 000008
【図７】
2008243280.tif 000009
【図８】
2008243280.tif 000010